(57)【要約】互いに相互接続され、かつ、壁上に取り付けられるように配置される一連のモジュール式放射要素を含む、温水暖房、とりわけ、民生用暖房システムのためのラジエータに関し、放射要素が光学的に透明な材料で作られる。【選択図】図１
2017501363.tif 000002
【特許請求の範囲】
【請求項１】
互いに相互接続され、かつ、壁（３）上に取り付けられるように配置される一連のモジュール式放射要素（２）を含む、温水暖房、とりわけ、民生用暖房システムのためのラジエータであって、
前記放射要素は光学的に透明な材料で作られる
ことを特徴とするラジエータ。
【請求項２】
前記光学的に透明な材料は強化ガラスである
請求項１に記載のラジエータ。
【請求項３】
前記光学的に透明な材料は、３〜５ミリメートルの厚さ（４）を有する強化ガラスである
請求項１または２に記載のラジエータ。
【請求項４】
前記放射要素（２）は、耐熱性着色液体を含む水溶液（５）を所定の温度で収容するように配置される
請求項１ないし３のいずれかに記載のラジエータ。
【請求項５】
前記耐熱性着色液体は、実質的に、前記水溶液の全容積の１．２％〜３．６％の量で前記溶液に存在する
請求項１ないし４のいずれかに記載のラジエータ。
【請求項６】
前記ラジエータと、前記ラジエータが取り付けられる前記壁（３）との間に置かれる、前記放射要素の照明手段（７）を含む
請求項１ないし５のいずれかに記載のラジエータ。
【請求項７】
前記照明手段（７）は、少なくとも、前記放射要素（２）への光線を投射するＬＥＤ灯を含む
請求項１ないし６のいずれかに記載のラジエータ。
【発明の詳細な説明】
【技術分野】
【０００１】
本発明は、温水暖房、とりわけ、民生用暖房システムのためのラジエータに関する。
【背景技術】
【０００２】
現状技術では、直列のモジュール式要素の、家庭、企業、学校、および病院の構内に設置される暖房システムのためのラジエータが既知である。当該ラジエータは、所望の放射表面に達するように、互いに、かつ、並んで隣り合って接続される。モジュールは、鋼鉄、鋳鉄、または、アルミニウム反射器で作ることができる。
【０００３】
ラジエータとしても既知のこのタイプのヒーターは、選択される材料のみならず、モジュールのサイズおよび数に直接依存する放射力を有する。
【０００４】
とりわけ、熱は対流によって伝達される。このことは、空気が循環し、ラジエータおよびその表面と接触して加熱され、上昇し、その結果、密度が減少することを意味する。よって、空気は加熱され、天井に到達すると冷却されて、ラジエータに引き戻される。そうすることにより、このサイクルが再開するように意図されている。
【０００５】
かかる装置は、暖房熱源となるように作られており、最近ますます家庭用家具に不可欠な部分となっている。この点において、実際、最新世代のラジエータは、とりわけ、特別な形態を作り出すことを可能にした鋼鉄およびアルミニウムといった金属材料を使用することによる魅力的なデザインを有しているのに加え、熱効率の観点からは、潜在的に改良もされた。
【０００６】
現状技術では、「タオル掛けラジエータ」という名称の、鋼鉄およびアルミニウム製のヒーターが既知である。
【０００７】
しかしながら、このタイプのラジエータは、放射による熱の移動を通して環境を温めるので、特に広い環境において、対流によって作動するヒーターの同じカロリーをもたらすためには、はるかに広い表面積を必要とすることになり、収率が低い。
【発明の概要】
【発明が解決しようとする課題】
【０００８】
本発明の目標は、暖房設備、とりわけ、民生用暖房システムのための既知のタイプのラジエータにおける上述の欠点を解消し、見た目に美しい装置を得られるようにすることである。
【０００９】
上記の範囲内で、本発明の趣旨は、パイプまたはボイラーのいずれかにおける技術的介在を必要とせずに、任意の従来の暖房システムにおいて設置されるように配置される、暖房設備、とりわけ、民生用暖房システムのためのヒーターを提供することである。
【００１０】
本発明の別の目的は、高効率での機能的な暖房を可能にすることである。
【００１１】
本発明の別の目的は、容易に市場で手に入る手段によって、および、一般的に使用される材料を使用した、温水暖房、とりわけ、民生用暖房システムのためのラジエータを提供することで、その装置を経済的に競争力のあるものにすることである。
【課題を解決するための手段】
【００１２】
この目標、これらの目的、および、以降明らかとなる他のものは、互いの間で相互接続され、かつ、壁上に取り付けられるように配置される一連のモジュール式放射要素を含む、本発明による温水暖房、とりわけ、民生用暖房システムのためのラジエータであって、前記放射要素が光学的に透明な材料で作られることを特徴とするラジエータによって実現される。
【００１３】
本発明のさらなる特性および利点は、添付の図面を用いて非限定的な例によって示される、温水暖房、とりわけ、民生用暖房システムのためのラジエータの限定はされないが好ましい実施形態の説明から明らかとなろう。
【図面の簡単な説明】
【００１４】
【図１】ラジエータの設置を示す側面図
【図２】放射要素の切り開いた断面図
【発明を実施するための形態】
【００１５】
引用された図を参照すると、全体として参照符号１で特定される、本発明による、高温（ｈｏｔ−ｗｅａｔｈｅｒ）暖房、とりわけ、民生用暖房システムのためのラジエータは、互いの間で相互接続され、かつ、壁３上に取り付けられるように配置される一連のモジュール式放射要素２を含む。
【００１６】
本発明の特有の特徴は、前記放射要素が光学的に透明な材料で作られているということによって示される。
【００１７】
有利には、光学的に透明な材料は、３〜５ミリメートルの、図２に図示されるように好ましくは厚さ４を有するそれ自体が既知である強化ガラスである。
【００１８】
ここで提示される実施形態では、放射要素２は、それ自体が既知である、耐熱性着色液体を含む水溶液５を所定の温度で収容するように配置される（図２）。
【００１９】
有利には、耐熱性着色液体は、実質的に、水溶液の全容積の１．２％〜３．６％になる量で該溶液に存在する。
【００２０】
すなわち、６または７リットルのヒーター容量に対して、１００〜２００ｍｌの耐熱性着色液体を付加することが必要になる。
【００２１】
図１を参照すると、放射要素の照明手段７は、ラジエータと、該ラジエータが取り付けられる壁３との間に置かれるように設けられてよい。
【００２２】
好ましくは、前記照明手段７は、少なくとも、放射要素２上に光線を投射するＬＥＤ灯を含む。
【００２３】
実際面では、ラジエータは、取り付けられる時、従来のラジエータのように作動するが、見る人に特定の効果を与えるように、使用者の好みの色による着色液体と混合された水を有する。
【００２４】
その効果は、ラジエータ自体の後部を照らすようにラジエータの後ろに適切に取り付けられ、色の選択を広げるようにする特定の照明用ヘッドライトＬＥＤ（また、楽しませる色）によって高められることになる。
【００２５】
上の説明から、結果として、本発明が意図される目標および目的を達成することは明らかであり、とりわけ、効率的で見た目に美しい、高温暖房、とりわけ、民生用暖房システムのためのラジエータが提供されるということが強調される。
【００２６】
とりわけ、ボイラーから水に移される熱を維持するように、耐熱性材料で加熱するために使用される着色させた水は、ヒーターが従来のラジエータと酷似する収率を有することを確実にする。
【００２７】
このことはまた、相互接続されるモジュール式放射要素を実装するために選択されるガラスの特定の厚さおよびタイプによるものである。
【００２８】
本発明によるラジエータの別の利点は、パイプまたはボイラーが介在する必要がないため低い設置費で、古いラジエータにとって代わって任意の従来の暖房システムに設置できることである。
【００２９】
本発明の別の利点は、とりわけ、室内暖房機能および高効率を可能にする、家庭、企業、学校、病院、ホテル、およびロッジ用のラジエータが実現されていることである。
【００３０】
特に、容易に市場で手に入る手段を使用し、かつ、一般的な材料を使用することによって、該装置は、経済的で競争力のあるものになる。
【００３１】
よって、想到した本発明には、全てが本発明の概念内にある多数の修正および変形を施すことができる。
【００３２】
さらに、細部全ては、他の技術的に等価の要素と置き換えられてもよい。
【００３３】
実際面では、採用される材料のみならず寸法は、実施形態の目的と一致することを前提に、要件に従ったいずれのものでもよい。
【図１】
2017501363.tif 000003
【図２】
2017501363.tif 000004
【国際調査報告】
2017501363.tif 000005
2017501363.tif 000006